【手続補正書】
【提出日】平成18年5月23日(2006.5.23)
【手続補正１】
【補正対象書類名】明細書
【補正対象項目名】全文
【補正方法】変更
【補正の内容】
【書類名】    明細書
【発明の名称】      遊技機
【特許請求の範囲】
【請求項１】  遊技の制御を行う電子部品を搭載した第１制御基板および第２制御基板と、その第１制御基板に隣接配置され電磁気的ノイズを遮断する第１ノイズ遮蔽部材と、その第１ノイズ遮蔽部材の近傍に着脱自在に取り付けられると共に前記第２制御基板に隣接配置され電磁気的ノイズを遮断する第２ノイズ遮蔽部材とを備えた遊技機において、
前記第１ノイズ遮蔽部材の近傍に前記第２ノイズ遮蔽部材を取り付けることに応じて、その第２ノイズ遮蔽部材と前記第１ノイズ遮蔽部材とを電気的に接続する接続手段を備え、
前記第２制御基板は、遊技の制御を行う電子部品がそれぞれ搭載され別体に形成された２以上の回路基板からなり、
前記第２ノイズ遮蔽部材は、その２以上の回路基板に跨って隣接配置されることを特徴とする遊技機。
【請求項２】  前記第２制御基板における２以上の回路基板がそれぞれ配置されるボックスベースと、そのボックスベースに取着され、前記制御基板をそれぞれ別々に被包する２以上のボックスカバーとを有する第２制御基板ボックスを備え、
その第２制御基板ボックスには遊技機の裏面側に取り付けられる取付部が設けられていることを特徴とする請求項１記載の遊技機。
【請求項３】  前記第２ノイズ遮蔽部材は、前記第２制御基板とともに前記第２制御基板ボックスの内部に配設され、その第２制御基板のグランドと当接して電気的に接続されるグランド接点を備えていることを特徴とする請求項２記載の遊技機。
【発明の詳細な説明】
【０００１】
【発明の属する技術分野】  本発明は、電子部品を使用して遊技の制御を行う遊技機に関し、特に、遊技の制御を行う電子部品の誤動作の発生頻度を低減させて、これらを正常に動作させることができる遊技機に関するものである。
【０００２】
【従来の技術】  球を遊技領域へ打ち込んで遊技を行うパチンコ機などの遊技機では、遊技盤に設けられる図柄作動口、普通入賞口および特定入賞口（大入賞口）などの入賞装置や、複数種類の図柄を変動表示可能な液晶ディスプレイ等の画像表示装置等を制御して遊技の興趣を盛り上げるものが主流となっている。
【０００３】
これらの入賞装置や画像表示装置等の制御は、ＩＣやＬＳＩ等の多数の電子部品で構成されたメイン制御回路を備えた主基板（メイン制御基板）により行われる。この主基板のメイン制御回路によれば、遊技領域へ打ち込まれた打球が図柄作動口を通過することにより、画像表示装置の変動表示を開始させる。この変動図柄が予め定められた図柄の組み合わせと一致して停止すると、大当たりとなって、遊技者に所定の遊技価値が付与され、即ち、大入賞口が開放されて、大量の賞球が払出可能な状態となるのである。
【０００４】
このような遊技機では、その主基板のメイン制御回路により発生される大当たり確率に基づく出球（有価価値）が多いため、遊技者に対して満足感を与えることができるが、その大当たりの発生確率が過剰に高く設定されると、その射幸性が高くなり過ぎてしまう。そこで、かかる射幸性を抑制を図るために、遊技機の出荷以前に、その大当たりの発生確率などの検査が行われている。この検査は、主に、主基板を検査することにより行われ、かかる検査に合格した遊技機が出荷される。
【０００５】
ところが、上述した主基板には、その検査においてメイン制御回路の他に、遊技盤に配設されるランプ装置を点灯消灯させるためのランプ制御回路や画像表示装置に表示される図柄に対応させて音声を発生させる音声制御回路も一緒に搭載されているので、主基板を検査する際にメイン制御回路に加えてランプ制御回路および音声発生回路などの有価価値の付与に関与しない制御回路をも検査する必要が生じ、かかる検査に要する時間が長期化して、遊技機を早期に出荷することができない。
【０００６】
【発明が解決しようとする課題】  そこで、例えば、ランプ制御回路と音声発生回路とを主基板から分離して、主基板の他に、ランプ制御回路が構成されたランプ制御基板と音声発生回路が構成された音声制御基板とを別体に形成する必要が生じた。かかる場合には、各制御基板に搭載される電子部品の誤動作を防止するために電磁気的ノイズや静電気ノイズ等の各種ノイズを遮蔽するシールド部材を配設する必要がある。即ち、主基板の他に、音声制御回路を搭載した音声制御基板やランプ制御回路を搭載したランプ制御基板を形成すると、主基板のシールド部材の他に、音声制御基板およびランプ制御基板のシールド部材をそれぞれ設ける必要がある。
【０００７】
ここで、音声制御回路やランプ制御回路は、主基板に比べて使用される電子部品等の点数が少なく、主基板に比べて基板サイズを小さくすることができ、この基板サイズの小型化に伴って音声制御基板やランプ制御基板に配設される各シールド部材のサイズも小さくすることができる。
【０００８】
しかしながら、シールド部材のサイズが小さくなると、その分、シールド部材の表面積が小さくなるため、音声制御基板やランプ制御基板のノイズ耐圧が低下して、これらの各制御基板に搭載される電子部品の誤動作の発生頻度が増加してしまうという問題点があった。
【０００９】
本発明は上述した問題点を解決するためになされたものであり、遊技の制御を行う電子部品の誤動作の発生頻度を低減させて、これらを正常に動作させることができる遊技機を提供すること目的としている。
【００１０】
【課題を解決するための手段】  この目的を達成するために請求項１記載の遊技機は、遊技の制御を行う電子部品を搭載した第１制御基板および第２制御基板と、その第１制御基板に隣接配置され電磁気的ノイズを遮断する第１ノイズ遮蔽部材と、その第１ノイズ遮蔽部材の近傍に着脱自在に取り付けられると共に前記第２制御基板に隣接配置され電磁気的ノイズを遮断する第２ノイズ遮蔽部材とを備え、前記第１ノイズ遮蔽部材の近傍に前記第２ノイズ遮蔽部材を取り付けることに応じて、その第２ノイズ遮蔽部材と前記第１ノイズ遮蔽部材とを電気的に接続する接続手段を備え、前記第２制御基板は、遊技の制御を行う電子部品がそれぞれ搭載され別体に形成された２以上の回路基板からなり、前記第２ノイズ遮蔽部材は、その２以上の回路基板に跨って隣接配置される。
【００１１】
この請求項１記載の遊技機によれば、第１制御基板へ侵入する電磁気的ノイズは第１ノイズ遮蔽部材により遮断される一方、第２制御基板へ侵入する電磁気的ノイズは第２ノイズ遮蔽部材により遮断される。第２ノイズ遮蔽部材は、第１ノイズ遮蔽部材の近傍に取り付けられると、その取り付けに応じて接続手段により第１ノイズ遮蔽部材と電気的に接続される。また、第２制御基板は、遊技の制御を行う電子部品がそれぞれ搭載され別体に形成された２以上の回路基板からなり、第２ノイズ遮蔽部材は、その２以上の回路基板に跨って隣接配置される。第１及び第２ノイズ遮蔽部材が電気的に接続されると、第１ノイズ遮蔽部材の表面積は第２ノイズ遮蔽部材の表面積の分だけ拡大される一方、第２ノイズ遮蔽部材の表面積は第１ノイズ遮蔽部材の表面積の分だけ拡大されるので、第１及び第２ノイズ遮蔽部材による電磁気的ノイズの遮断特性が向上され、第１及び第２制御基板におけるノイズ耐圧が向上される。
請求項２記載の遊技機は、請求項１記載の遊技機において、前記第２制御基板における２以上の回路基板がそれぞれ配置されるボックスベースと、そのボックスベースに取着され、前記制御基板をそれぞれ別々に被包する２以上のボックスカバーとを有する第２制御基板ボックスを備え、その第２制御基板ボックスには遊技機の裏面側に取り付けられる取付部が設けられている。
請求項３記載の遊技機は、請求項２記載の遊技機において、前記第２ノイズ遮蔽部材は、前記第２制御基板とともに前記第２制御基板ボックスの内部に配設され、その第２制御基板のグランドと当接して電気的に接続されるグランド接点を備えている。
【００１２】
【発明の実施の形態】  以下、本発明の好ましい実施例について、添付図面を参照して説明する。図１は、本発明の遊技機の一実施例であるパチンコ機１の正面図である。パチンコ機１は、いわゆる第１種パチンコ遊技機であり、その前面（図１の紙面に対して手前側）には前面枠２が配設されている。前面枠２は略矩形額縁状に形成され、その内周に金枠３が周設されている。この金枠３の内側上方には、ガラス扉枠４が開閉可能に配設されており、ガラス扉枠４の後方（図１の紙面に対して奥側）には遊技盤５が配置されている。
【００１３】
遊技盤５の前面外周部分には略円弧状の外レール７が植立され、その外レール７の内側位置には円弧状の内レール６が植立されている。この内レール６および外レール７により囲まれた遊技盤５の前面には、遊技球（打球）Ｐが打ち込まれる遊技領域８が形成されており、内レール６および外レール７間には遊技球Ｐが通過可能な案内通路９が設けられている。遊技領域８には複数のランプ８ａが配設されている。
【００１４】
これらのランプ８ａは、遊技盤５の前面を装飾したり、遊技状態を遊技者に報知して興趣を向上させるものであり、例えば、遊技領域８の周囲や後述する普通入賞口１０、液晶ディスプレイ１４にそれぞれ配設されている。また、複数のランプ８ａは、後述するランプ制御基板２９に搭載されるマイクロプロセッサ（以下、「ＭＰＵ」と称す。）（図示せず）から送信（出力）される制御用データ（制御用信号）を受けて点灯または消灯されるものである。
【００１５】
遊技領域８内には、遊技球Ｐが入賞可能な複数の普通入賞口１０が設けられており、これらの普通入賞口１０に遊技球Ｐが入賞することにより５個から１５個の遊技球Ｐが賞球として払い出されるのである。また、遊技領域８内には複数の障害釘１１が植立されている。この複数の障害釘１１は、遊技領域８内へ打ち込まれた遊技球Ｐが落下する際に衝突して、その落下経路を変動させるためのものである。尚、図１では、複数の障害釘１１の一部を省略して図示している。
【００１６】
一方、案内通路９は、遊技領域８へ打ち込まれる遊技球Ｐを案内するための通路であり、その下側部分、即ち、図１のパチンコ機１における右下部分には、遊技球Ｐを遊技領域８へ発射するための遊技球発射装置１２が配設されている。また、案内通路９の上側端部（図１上側）には戻球防止装置１３が配設されており、この戻球防止装置１３は、案内通路９から遊技領域８へ飛び出した遊技球Ｐが案内通路９へ侵入して逆流することを防止するものである。
【００１７】
遊技領域８の略中央部分には、複数種類の識別情報としての図柄（画像）などを表示する液晶ディスプレイ（liquid crystal display、以下、単にＬＣＤと称す）（可変表示装置）１４が設けられている。このＬＣＤ１４は、液晶および偏光板等を組み合わせることにより構成された表示画面である液晶パネル１４ａを備えており、この液晶パネル１４ａに各種画像が表示される。液晶パネル１４ａは、液晶パネル制御基板（図示せず）により液晶に印加される電圧の大きさを変更することによって、その液晶の分子配列が変更され色彩や透明度が変化される性質を有しており、この性質を用いることにより液晶パネル１４ａにおいて各種の図柄の変動表示が行われるのである。
【００１８】
ＬＣＤ１４の下方には、図柄作動口（第１種始動口）１５が設けられており、この図柄作動口１５を遊技球Ｐが通過することにより、ＬＣＤ１４の変動表示が開始される。また、図柄作動口１５の下方には可変入賞装置１６が設けられている。この可変入賞装置１６は、遊技盤５に取着可能に形成された本体フレーム１６ａを備えており、その略中央部分には２以上の遊技球Ｐが同時に通過可能な幅広の矩形状の開口である大入賞口の開口１６ｂが穿設されている。
【００１９】
この大入賞口の開口１６ｂは、大入賞口の一部を構成しており、ＬＣＤ１４の変動後の表示結果が予め定められた図柄の組み合わせ（大当たり表示）の１つと一致する場合に、遊技球Ｐが入賞しやすいように所定時間（例えば、３０秒間）経過するまで、又は、所定個数（例えば、１０個）の遊技球Ｐが大入賞口の開口１６ｂへ入賞するまで、開放されるものである。この大入賞口の開口１６ｂの開閉動作の行われ得る状態が、いわゆる所定の遊技価値の付与された状態（特別遊技状態）である。
【００２０】
大入賞口の開口１６ｂには、開閉シャッタ１６ｃが配設されている。この開閉シャッタ１６ｃは、大入賞口の開口１６ｂの形状に適合して形成されており、大入賞口の開口１６ｂを開閉するものである。また、本体フレーム１６ａの前面であって、開閉シャッタ１６ｃの前方（図１の紙面に対する垂直方向手前側）にはガード部材１６ｄが配設されている。尚、大入賞口は、大入賞口の開口１６ｂ、開閉シャッタ１６ｃで構成されている。
【００２１】
可変入賞装置１６の下方であって、上述した遊技領域８の最下方には、いずれの入賞口にも入賞しなかった遊技球Ｐを遊技領域８外へ排出するためのアウト口１７が形成されている。このアウト口１７の形成された遊技領域８の前方に配設されるガラス扉枠４の下方には、金枠３に開閉可能に取着された前面扉板（腰板）１８が配設されている。この前面扉板１８の前面には遊技球発射装置１２へ供給される遊技球Ｐを貯留する上受皿１９が配設され、その上受皿１９の下方であって、前面枠２の下側部分には上受皿１９に貯留しきれなかった遊技球Ｐを貯留するための下受皿２０が配設されている。
【００２２】
また、上受皿１９の左側部分には、上述したＬＣＤ１４に表示される図柄に対応して音声を発生するスピーカ２１が内臓されており、このスピーカ２１は、後述する音声制御基板２８に搭載されるＭＰＵ（図示せず）から送信される制御用データを受けて、ＬＣＤ１４に表示される図柄に応じた音声を発生するものである。
【００２３】
図２は、パチンコ機１の裏面図である。図２に示すように、パチンコ機１の裏面側における略中央部分には上述した遊技盤５が着脱可能に取着されており、その遊技盤５の裏面略中央部分には上述したＬＣＤ１４が配設されている。このＬＣＤ１４はＡＢＳ樹脂などの合成樹脂で略箱状に形成されたＬＣＤボックス２２を備えており、このＬＣＤボックス２２には液晶パネル１４ａを制御する液晶パネル制御基板（図示せず）や、その液晶パネル制御基板へ制御用データを送信する液晶制御基板（図示せず）等が収容されている。
【００２４】
ＬＣＤボックス２２の左側には、パチンコ機１の遊技の制御を行う主基板２４を収容するための主基板ボックス２３が主基板ボックス取付ベース２５を介して遊技盤５の裏面側に着脱可能に取り付けられている。主基板ボックス２３に収容される主基板２４は、ＭＰＵ（図示せず）等の演算装置や、そのＭＰＵにより実行される制御プログラムやデータを記憶したＲＯＭ（図示せず）等の電子部品（制御部品）が搭載されている。この主基板２４に搭載される各電子部品は、その主基板２４にエッチング処理された回路パターン（図示せず）によりそれぞれ電気的に接続されており、パチンコ機１の遊技の制御を行うメイン制御回路を構成している。
【００２５】
主基板２４のメイン制御回路によれば、複数の普通入賞口１０又は可変入賞装置１６の大入賞口へ入賞した遊技球Ｐや図柄作動口１５を通過した遊技球Ｐが検出されると、賞球払出装置（図示せず）による賞球の払い出しを開始するための制御用データが賞球払出装置へ送信される一方、図柄作動口１５を通過する遊技球Ｐが検出されると、ＬＣＤ１４の液晶パネル１４ａに表示される図柄の変動表示を開始させる制御用データがＬＣＤ１４の液晶制御基板へ送信される。このように、主基板２４のメイン制御回路は、有価価値を有する遊技球Ｐを賞球として払い出す賞球払出処理や所定の遊技価値が付与される状態（特別遊技状態）の発生を処理する大当たり処理などの有価価値の付与に係る処理を行うための制御回路である。
【００２６】
ここで、図３を参照して主基板ボックス２３および主基板ボックス取付ベース２５について説明する。図３は、主基板ボックス２３と主基板ボックス取付ベース２５との分解斜視図である。尚、図３では、ボックス本体２３ａに配設される封印部材２３ａ１のうち、ボックス本体２３ａの下側壁面に配設される４つの封印部材の図示を省略し、また、主基板２４と、その主基板２４に搭載されたコネクタ２４ｃ〜２４ｅと接続される通信ケーブルを省略して図示している。
【００２７】
図３に示すように、主基板ボックス２３は、主基板２４を収容して被包するためのものであり、主に、ボックス本体２３ａと、そのボックス本体２３ａに被せられ覆設されるボックス蓋体２３ｂとを備えている。ボックス本体２３ａ及びボックス蓋体２３ｂは、いずれもポリカーボネート樹脂等の耐衝撃性を有する透明な合成樹脂等で略矩形皿状に形成されており、かかる両者を重ね合わせて合致（合体）させることにより、主基板２４を収容して被包することができる。
【００２８】
尚、主基板ボックス２３は、図６に示すように、主基板２４における電子部品の搭載面（部品面）（図６の上側面）がボックス蓋体２３ｂ側へ向けられ、かつ、電子部品の搭載面と反対側面（半田面）（図６の下側面）がボックス本体２３ａ側へ向けられた状態で主基板２４を収容している。
【００２９】
図３に示すボックス本体２３ａ及びボックス蓋体２３ｂは、上記のように、いずれも透明な合成樹脂等で形成されるので、主基板ボックス２３内に収容される主基板２４を外部から視認することができる。よって、主基板２４の回路パターンにジャンパー線を配線したり回路パターンを切断するなどしてパチンコ機１の遊技内容を変更する不正行為や、主基板２４に搭載されるＲＯＭ等を不正に交換して遊技内容を変更する不正行為が行われた場合には、主基板ボックス２３を開封することなく、主基板ボックス２３の外部から視認して検査することにより、かかる不正行為を容易に発見することができるのである。
【００３０】
ボックス本体２３ａの上下両壁面には４つの中空円柱状の封印部材２３ａ１がそれぞれ配設されており、ボックス蓋体２３ｂの上下両壁面には各封印部材２３ａ１に対応して４つの中空円柱状の封印部材２３ｂ１がそれぞれ配設されている。この各封印部材２３ａ１，２３ｂ１は主基板２４への不正行為を防止するため主基板ボックス２３を封印する部材であり、互いに対向する一対の封印部材２３ａ１，２３ｂ１を封印ねじ（図示せず）で連結することにより、主基板ボックス２３を封印することができる。
【００３１】
ボックス本体２３ａの右側壁には側面視略コ字状に切り欠かれた開口である導出口２３ａ２が形成されている。この導出口２３ａ２は、主基板ボックス２３内からアース線Ｋ１や通信ケーブルＫ２を外部へ導出するための開口であり、かかる導出口２３ａ２からはアース線Ｋ１や通信ケーブルＫ２が接続されるコネクタ２４ａ〜２４ｅが露出されている。これらのコネクタ２４ａ〜２４ｅは、主基板２４に搭載され、アース線Ｋ１や通信ケーブルＫ２が接続可能に形成されており、主基板２４に構成されたメイン制御回路とアース線Ｋ１や通信ケーブルＫ２とを接続するためのものである。
【００３２】
主基板ボックス取付ベース２５は、遊技盤５の裏面側に主基板ボックス２３を取り付けるためのものであり、主に、主基板ボックス２３が着脱可能に取り付けられるシールド部材２５ａを備えている。このシールド部材２５ａは、主基板２４に搭載される電子部品の誤動作の原因となる各種ノイズを遮断するためのものであり、導電性を有する薄板状の金属材料、例えば、薄板鋼材等で形成されている。よって、このシールド部材２５ａにより、主基板ボックス２３の外部からの電磁気的ノイズを遮断して、かかる電磁気的ノイズが主基板ボックス２３内の主基板２４へ侵入することを防止することができる。
【００３３】
シールド部材２５ａは複数の円形開孔が穿設された略板状の覆設板２５ａ１を備えている。この覆設板２５ａ１は、ボックス本体２３ａの背面側、即ち、ボックス本体２３ａにおけるボックス蓋体２３ｂの覆設面と反対側面に当接して取り付け可能に形成され、主基板ボックス２３外側から主基板２４の半田面側を覆うように主基板２４に隣接配置される（図６参照）。このため、シールド部材２５ａの覆設板２５ａ１により主基板ボックス２３に収容された主基板２４の部品面が覆い隠されることがなく、主基板ボックス２３に収容された主基板２４の電子部品搭載面を容易に視認することができる。よって、主基板２４のＲＯＭ等の電子部品を交換して遊技内容を変更する不正行為を容易に発見することができる。
【００３４】
覆設板２５ａ１の右側縁部には略平板状の側板２５ａ２が主基板ボックス２３側へ向けて立設されている。また、この側板２５ａ２の長手方向両端部分の前端には、その側板２５ａ２に対して略直角に折り曲げられ、かつ、その折り曲げ部分が覆設板２５ａ１と略同一方向へ延出された一対の爪部材２５ａ３，２５ａ３が形成されている。この一対の爪部材２５ａ３，２５ａ３は、シールド部材２５ａにボックス本体２３ａを係止するためのものであり、ボックス本体２３ａの導出口２３ａ２の前端面に引っ掛けられることによりボックス本体２３ａを係止することができる。
【００３５】
覆設板２５ａ１の長手方向略中央部分には矩形状の開口された係合穴２５ａ４が穿設されており、この係合穴２５ａ４は後述するボックスロック板２６の係合爪２６ａが係合される開口である。また、シールド部材２５ａの上端部には、接続端子２５ａ５が形成されている。この接続端子２５ａ５は、主基板ボックス２３に配線されるアース線Ｋ１の一端側に接続された略Ｏ字状の接続金具Ｋ１ａを接続するためのものであり、かかるアース線Ｋ１の接続金具Ｋ１ａがねじ止め可能に形成されている。一方、アース線Ｋ１は、その他端側が主基板２４に配設されるコネクタ２４ａに接続されており、このコネクタ２４ａを介して主基板２４のグランド（第１制御基板のグランド）（図示せず）と接続されている。
【００３６】
よって、アース線Ｋ１の接続金具Ｋ１ａをシールド部材２５ａの接続端子２５ａ５にねじ止めして接続することにより、かかるアース線Ｋ１及びコネクタ２４ａを介して、シールド部材２５ａと主基板２４のグランドとが電気的に接続されるので、シールド部材２５ａと主基板２４のグランドとを同電位にすることができる。従って、シールド部材２５ａが帯電することが防止されるので、かかる帯電による主基板２４に搭載された電子部品の誤動作を防止することができる。
【００３７】
シールド部材２５ａの上下両端には、透明なＡＢＳ樹脂等の合成樹脂で形成された取付ステー２５ｂ，２５ｃがねじ止めにより取着されており、これらの取付ステー２５ｂ，２５ｃを遊技盤５の裏面側にそれぞれねじ止めすることにより、主基板ボックス取付ベース２５を遊技盤５の裏面側に取り付けることができるのである。
【００３８】
また、ボックス本体２３ａの主基板ボックス取付ベース２５との対向面には、略台形板状のボックスロック板２６がねじ止めにより取着される。ボックスロック板２６は、主基板ボックス２３を主基板ボックス取付ベース２５のシールド部材２５ａに係止するためのものであり、透明なＡＢＳ樹脂等の合成樹脂で形成されている。ボックスロック板２６は、その右側中央部分にボックス本体２３ａ側へ向けて突出した係合爪２６ａが形成されている。この係合爪２６ａは、上述したシールド部材２５ａの係合穴２５ａ４に係合可能に形成されており、この係合穴２５ａ４にボックスロック板２６の係合爪２６ａを係合することにより、主基板ボックス２３がシールド部材２５ａから外れ落ちることを防止することができるのである。
【００３９】
次に、図２に戻って説明する。主基板ボックス２３の側方であって、上述したＬＣＤボックス２２の下方には、上述した複数の普通入賞口１０、可変入賞装置１６に入賞した遊技球Ｐや図柄作動口１５を通過した遊技球Ｐが導かれる入賞球集合カバー２７が配設されている。この入賞球集合カバー２７の裏面には、上述したスピーカ２１により発生される音声をＬＣＤ１４に表示される図柄に対応して発生させる音声制御基板２８と、上述した複数のランプ８ａの点灯・消灯の制御を行うランプ制御基板２９とをまとめて収容するサブ基板ボックス３０が着脱可能に取り付けられている。
【００４０】
次に、図４及び図５を参照して、サブ基板ボックス３０について説明する。図４は、サブ基板ボックス３０の分解斜視図であり、図５（ａ）は、サブ基板ボックス３０の組立状態における平面図であり、図５（ｂ）は、図５（ａ）のＢ−Ｂ線におけるサブ基板ボックス３０が入賞球集合カバー２７に取り付けられた状態での側断面図である。
【００４１】
図４に示すように、音声制御基板２８は略逆Ｌ字形の薄板状体に形成されており、その部品面（図４の手前側面）にスピーカ２１を制御するための演算装置であるＭＰＵ（図示せず）や音声データが記憶されたソフトウェアサウンドジェネレータ（softwear saund generator、以下ＳＳＧと称す）（図示せず）などの電子部品が搭載されている。これらの音声制御基板２８に搭載される電子部品は、その音声制御基板２８にエッチング処理された回路パターン（図示せず）によりそれぞれ電気的に接続されており、上述したスピーカ２１から発生される音声を生成する音声制御回路を構成している。
【００４２】
この音声制御基板２８の部品面における下側縁部には、略直方体状に形成された雌型のコネクタ２８ａ，２８ｂが隣接して搭載されている。コネクタ２８ａは上述した主基板２４からの制御用データを受信するために通信ケーブルが接続される接続端子であり、コネクタ２８ｂは主基板２４からの制御用データに基づいてスピーカ２１により音声を発生させる電気信号を送信するために通信ケーブルが接続される接続端子である。
【００４３】
このように構成された音声制御基板２８によれば、そのＭＰＵによって主基板２４のメイン制御回路から送信された制御用データが受信され、この受信を受けて、音声制御基板２８のＭＰＵから音声を発生させるための音指令信号がＳＳＧへ出力される。ＭＰＵから出力された音指令信号がＳＳＧへ入力されると、ＳＳＧによって音指令信号に対応する音声データが電気信号にＤ／Ａ変換（デジタル−アナログ変換）されてスピーカ２１へ出力され、スピーカ２１から音声が発生されるのである。
【００４４】
また、音声制御基板２８の四隅には、その音声制御基板２８を後述するボックスカバー３３に位置決めするため、ボックスカバー３３に突設される位置決め突起（図示せず）を填め込み可能な４つの位置決め穴２８ｃがそれぞれ穿設されている。また、この４つの位置決め穴２８ｃに隣接する位置には、後述するボックスカバー３３をボックスベース３１にねじ止めするためのビスＢ１が挿入可能な通穴２８ｄが計４つ穿設されている。
【００４５】
ランプ制御基板２９は矩形薄板状に形成されており、その部品面（図４の手前側面）に上述した複数のランプ８ａを制御するための演算装置であるＭＰＵ（図示せず）などの電子部品が搭載されている。これらのランプ制御基板２９に搭載される電子部品は、そのランプ制御基板２９にエッチング処理された回路パターン（図示せず）により電気的に接続され、上述した複数のランプ８ａを点灯または消灯させるランプ制御回路を構成している。
【００４６】
このランプ制御基板２９の部品面における下側縁部には略直方体状に形成された雌型のコネクタ２９ａが搭載される一方、ランプ制御基板２９の上側縁部には略直方体状に形成された雌型のコネクタ２９ｂが搭載されている。コネクタ２９ａは上述した主基板２４からの制御用データを受信するために通信ケーブルが接続される接続端子であり、コネクタ２９ｂは主基板２４からの制御用データに基づいて各ランプ８ａを点灯または消灯させる制御用信号を送信するために通信ケーブルが接続される接続端子である。
【００４７】
このように構成されたランプ制御基板２９によれば、主基板２４におけるメイン制御回路から送信される制御用データに基づいて、ランプ制御回路におけるＭＰＵから複数のランプ８ａへ制御用信号が出力され、複数のランプ８ａを点灯または消灯されるのである。また、ランプ制御基板２９の四隅には、そのランプ制御基板２９を後述するボックスカバー３４に位置決めするため、ボックスカバー３４に突設される位置決め突起（図示せず）を填め込み可能なボックスの４つの位置決め穴２９ｃがそれぞれ穿設されている。また、この４つの位置決め穴２９ｃに隣接する位置には、後述するボックスカバー３４をボックスベース３１にねじ止めするためのビスＢ１が挿入可能な通穴２９ｄが計４つ穿設されている。
【００４８】
サブ基板ボックス３０は、音声制御基板２８とランプ制御基板２９とを収容するためのものであり、音声制御基板２８とランプ制御基板２９とがそれぞれ配置されるボックスベース３１と、そのボックスベース３１を入賞球集合カバー２７に着脱可能に取り付ける取付具３２と、ボックスベース３１に配置される音声制御基板２８とランプ制御基板２９とにそれぞれ別々に被せられる２つのボックスカバー３３，３４と、音声制御基板２８及びランプ制御基板２９に搭載される電子部品の誤動作の原因となる各種ノイズを遮断するシールド部材３５と、そのシールド部材３５と上述した主基板ボックス取付ベース２５のシールド部材２５ａとを電気的に接続する接続部材３６とを備えている。
【００４９】
サブ基板ボックス３０のボックスベース３１、ボックスカバー３３，３４は、いずれも透明なＡＢＳ樹脂などの合成樹脂で形成され、サブ基板ボックス３０内に音声制御基板２８及びランプ制御基板２９が収容された場合に、その両制御基板２８，２９をサブ基板ボックス３０の外部から視認することができように構成されている。よって、音声制御基板２８又はランプ制御基板２９をサブ基板ボックス３０の外部から視認することにより、これらの制御基板２８，２９の故障、例えば、回路パターンの接続不良等を発見することができるのである。
【００５０】
ボックスベース３１は略板状に形成されており、その右側部分に音声制御基板２８が配置される配置板３１ａが形成される一方、その左側部分にランプ制御基板２９が配置される配置板３１ｂが形成されている。これらの配置板３１ａ，３１ｂは、略板状の連設板３１ｃにより互いに連設されており、この連設板３１ｃの上部にはボックスベース３１を後述する入賞球集合カバー２７の固定部２７ａ（図５参照）に着脱可能に取り付けられる取付具３２が取着されている。
【００５１】
配置板３１ａにおける音声制御基板２８との対向面の上下両縁部分には、音声制御基板２８へ向けて隆起された段付き部３１ａ１が立設されており、この段付き部３１ａ１によって、音声制御基板２８が配置板３１ａに配置される場合に、音声制御基板２８と配置板３１ａとの対向面間に空隙を設けることができる。よって、かかる空隙により、音声制御基板２８の半田面（図４の裏側面）と配置板３１ａとの底面との接触を防止することができる。また、配置板３１ａの四隅には略円形状の通穴３１ａ２がそれぞれ穿設されている。この４つの通穴３１ａ２は、ボックスベース３１にボックスカバー３３をねじ止めするためのビスＢ１が挿入可能に形成されている。
【００５２】
一方、配置板３１ｂにおけるランプ制御基板２９との対向面の上下両縁部分には、ランプ制御基板２９へ向けて隆起された段付き部３１ｂ１が立設されており、この段付き部３１ｂ１によって、ランプ制御基板２９が配置板３１ｂに配置される場合に、ランプ制御基板２９と配置板３１ｂとの対向面間に空隙を設けることができる。よって、かかる空隙により、ランプ制御基板２９の半田面（図４の裏側面）と配置板３１ｂとの底面との接触を防止することができる。また、配置板３１ｂの四隅には略円形状の通穴３１ｂ２がそれぞれ穿設されている。この４つの通穴３１ｂ２は、ボックスベース３１にボックスカバー３４をねじ止めするためのビスＢ１が挿入可能に形成されている。
【００５３】
連設板３１ｃの上部に取着される取付具３２は、パネルファスナの一種であり、略円筒体に形成されたロック部材３２ａと、そのロック部材３２ａ内に摺動可能に挿嵌されたボタン部材３２ｂとを備えている。図５（ｂ）に示すように、ロック部材３２ａは、その先端部（図５（ｂ）の右側端）に切り込みが設けられており、その外径方向へ開閉可能に形成されている。
【００５４】
この取付具３２によれば、そのロック部材３２ａが挿嵌穴２７ｂに挿嵌された状態でボタン部材３２ｂが挿嵌穴２７ｂ側（図５（ｂ）の右側）へ向けて押し込まれると、そのロック部材３２ａの先端部（図５（ｂ）の右端部）が外径方向へ開かれ拡大されて、挿嵌穴２７ｂ内に係止される。かかる挿嵌穴２７ｂ内にロック部材３２ａの先端部が係止されることにより、取付具３２が入賞球集合カバー２７の固定部２７ａに取り付けられ、サブ基板ボックス３０が遊技盤５に取り付けられるのである。
【００５５】
一方、取付具３２は、そのボタン部材３２ｂが挿嵌穴２７ｂ側と反対側（図５（ｂ）の左側）へ向けて引き出されると、そのロック部材３２ａの先端部（図５（ｂ）の右端部）が閉じられ先端部の外径が縮小されて、挿嵌穴２７ｂ内から抜き取り可能となる。よって、取付具３２が入賞球集合カバー２７の固定部２７ａから取り外し可能となり、サブ基板ボックス３０が遊技盤５側から取り外し可能となるのである。
【００５６】
図４に示すように、取付具３２が取着される連設板３１ｃの下側部分には略逆Ｕ字状の切欠３１ｄが設けられている。この切欠３１ｄは、可変入賞装置１６の裏面側に配設されるプリント回路基板（図示せず）からの通信ケーブル（図示せず）を導出させるためのものである。よって、入賞球集合カバー２７に取り付けられたサブ基板ボックス３０により、可変入賞装置１６の裏面側が覆われても、切欠３１ｄから可変入賞装置１６のプリント基板からの通信ケーブルを導出することができるのである。尚、可変入賞装置１６に配設されるプリント回路基板は、可変入賞装置１６の開閉シャッタ１６ｃを開閉させるソレノイド等に電気的に接続されており、このソレノイドと上述した主基板２４とを接続するための通信ケーブルを接続するためのコネクタが搭載されている。
【００５７】
上述した配置板３１ａの右側縁部、及び、配置板３１ｂの左側縁部には略円柱状の位置決め突起３１ｅ，３１ｆが後述するシールド部材３５側へ向けてそれぞれ突設されている。この一対の位置決め突起３１ｅ，３１ｆは、後述するシールド部材３５をボックスベース３１に位置決めするためのものであり、シールド部材３５に穿設される位置決め穴３５ｇ，３５ｈに対応して突設されており、各位置決め穴３５ｇ，３５ｈに填り込み可能に形成されている。
【００５８】
また、ボックスベース３１の連設板３１ｃの略中央部分には、略円筒状のねじ止め部３１ｇが後述するシールド部材３５側へ向けて突設されている。このねじ止め部３１ｇは、シールド部材３５をボックスベース３１にねじ止めして仮止めするためビスＢ２をねじ込むためのものであり、このねじ止め部３１ｇにおけるシールド部材３５側端面には、ビスＢ２をねじ込み可能なねじ穴が凹設されている。
【００５９】
ボックスカバー３３は、上述したボックスベース３１の配置板３１ａに配置される音声制御基板２８を覆いつつ被包するためのものであり、音声制御基板２８の部品面に対向しつつ覆設される天板３３ａを備えている。この天板３３ａの周囲には、ボックスベース３１の配置板３１ａへ向けて側壁板３３ｂ〜３３ｅが立設されており、これらの天板３３ａ及び側壁板３３ｂ〜３３ｅにより音声制御基板２８の部品面を覆いつつ収容する収容空間が形成されている。また、天板３３ａの上部には複数の円形状の放熱穴３３ａ１が穿設されており、かかる放熱穴３３ａ１により音声制御基板２８に搭載されたＭＰＵ等の電子部品の発熱により加熱された収容空間内の空気（気体）を外部へ放出することができるのである。
【００６０】
ボックスカバー３３における音声制御基板２８との対向面には、その音声制御基板２８の４つの位置決め穴２８ｃに対応して、４つの位置決め突起（図示せず）が突設されている。これらの４つの位置決め突起は音声制御基板２８の４つの位置決め穴２８ｃに填り込み可能に形成されており、これらの各位置決め突起を各位置決め穴２８ｃに填め込むことにより、音声制御基板２８をボックスカバー３３に位置決めすることができる。
【００６１】
ボックスカバー３３の下側部分には、上述した音声制御基板２８におけるコネクタ２８ａ，２８ｂの搭載位置に対応して略矩形状に形成された２つのコネクタ口３３ｆ，３３ｇが穿設されている。このコネクタ口３３ｆ，３３ｇは、その開口形状が上述した音声制御基板２８のコネクタ２８ａ，２８ｂの外形に適合してそれぞれ形成されており、かかるコネクタ２８ａ，２８ｂが挿嵌可能に形成されている。
【００６２】
よって、ボックスベース３１及びボックスカバー３３により音声制御基板２８が収容される場合には、音声制御基板２８のコネクタ２８ａ，２８ｂをコネクタ口３３ｆ，３３ｇにそれぞれ挿嵌することにより、コネクタ２８ａ，２８ｂをサブ基板ボックス３０の外部に露出させることができるのである。しかも、コネクタ口３３ｆ，３３ｇの開口形状はコネクタ２８ａ，２８ｂの外形に適合して形成されているので、コネクタ口３３ｆ，３３ｅからコネクタ２８ａ，２８ｂ以外の部分が露出することを防止して、音声制御基板２８への接触行為を防止することができるのである。
【００６３】
また、ボックスカバー３３は、コネクタ口３３ｆ，３３ｇと隣接する側壁板３３ｃが天板３３ａからコネクタ口３３ｆ，３３ｇの穿設位置へ向けて傾斜されている。このように、コネクタ口３３ｆ，３３ｇに隣接する側壁板３３ｃは、コネクタ口３３ｆ，３３ｇへ向けて傾斜されるので、かかるコネクタ口３３ｆ，３３ｇから露出されるコネクタ２８ａ，２８ｂに通信ケーブルのコネクタ（図示せず）を差し込み接続する場合に、かかる通信ケーブルのコネクタを音声制御基板２８のコネクタ２８ａ，２８ｂへ向けて案内することができる。よって、通信ケーブルのコネクタと音声制御基板２８のコネクタ２８ａ，２８ｂとの接続作業を円滑に行うことができるのである。
【００６４】
ボックスカバー３４は、上述したボックスベース３１の配置板３１ｂに配置されるランプ制御基板２９を覆いつつ被包するためのものであり、ランプ制御基板２９の部品面に対向しつつ覆設される天板３４ａを備えている。この天板３４ａの周囲には、ボックスベース３１の配置板３１ｂへ向けて側壁板３４ｂ〜３４ｅが立設されており、これらの天板３４ａ及び側壁板３４ｂ〜３４ｅによりランプ制御基板２９の部品面を覆いつつ収容する収容空間が形成されている。また、天板３４ａの上部には複数の円形状の放熱穴３４ａ１が穿設されており、かかる放熱穴３４ａ１によりランプ制御基板２９に搭載されるＭＰＵ等の電子部品の発熱により加熱された収容空間内の空気（気体）を外部へ放出することができるのである。
【００６５】
ボックスカバー３４におけるランプ制御基板２９との対向面には、そのランプ制御基板２９の４つの位置決め穴２９ｃに対応して、４つの位置決め突起（図示せず）が突設されている。これらの４つの位置決め突起はランプ制御基板２９の４つの位置決め穴２９ｃに填り込み可能に形成されており、これらの各位置決め突起を各位置決め穴２９ｃに填め込むことにより、ランプ制御基板２９をボックスカバー３４に位置決めすることができる。
【００６６】
ボックスカバー３４の下側部分および上側部分には、上述したランプ制御基板２９におけるコネクタ２９ａ，２９ｂの搭載位置に対応して略矩形状に形成された２つのコネクタ口３４ｆ，３４ｇが穿設されている。このコネクタ口３４ｆ，３４ｇは、その開口形状が上述したランプ制御基板２９のコネクタ２９ａ，２９ｂの外形に適合してそれぞれ形成されており、かかるコネクタ２９ａ，２９ｂが挿嵌可能に形成されている。
【００６７】
よって、ボックスベース３１及びボックスカバー３４によりランプ制御基板２９が収容される場合には、ランプ制御基板２９のコネクタ２９ａ，２９ｂをコネクタ口３４ｆ，３４ｇにそれぞれ挿嵌することにより、コネクタ２９ａ，２９ｂをサブ基板ボックス３０の外部に露出させることができるのである。しかも、コネクタ口３４ｆ，３４ｇの開口形状はコネクタ２９ａ，２９ｂの外形に適合して形成されているので、コネクタ口３４ｆ，３４ｇからコネクタ２９ａ，２９ｂ以外の部分が露出することを防止して、ランプ制御基板２９への接触行為を防止することができるのである。
【００６８】
また、ボックスカバー３４は、コネクタ口３４ｆと隣接する側壁板３４ｃが天板３４ａからコネクタ口３４ｆの穿設位置へ向けて傾斜される一方、コネクタ口３４ｇと隣接する側壁板３４ｂが天板３４ａからコネクタ口３４ｇの穿設位置へ向けて傾斜されている。このように、コネクタ口３４ｆ，３４ｇに隣接する側壁板３４ｃ，３４ｂは、コネクタ口３４ｆ，３４ｇへ向けてそれぞれ傾斜されるので、かかるコネクタ口３４ｆ，３４ｇから露出されるコネクタ２９ａ，２９ｂに通信ケーブルのコネクタ（図示せず）をそれぞれ差し込み接続する場合に、かかる通信ケーブルのコネクタをランプ制御基板２９のコネクタ２９ａ，２９ｂへ向けてそれぞれ案内することができる。よって、通信ケーブルのコネクタとランプ制御基板２９のコネクタ２９ａ，２９ｂとの接続作業を円滑に行うことができるのである。
【００６９】
ボックスベース３１の音声制御基板２８及びランプ制御基板２９との対向面側には、シールド部材３５が配設されている。このシールド部材３５は、音声制御基板２８及びランプ制御基板２９に搭載される電子部品の誤動作の原因となる各種ノイズを除去するためのものであり、導電性を有する薄板状の金属材料、例えば、薄板鋼材等で形成されている。シールド部材３５は、ボックスベース３１を正面（前面）視した形状に適合して形成されており、ボックスベース３１の配置板３１ａ，３１ｂ及び連設板３１ｃの前側面のほぼ全域に覆い被さるように形成されている。このように、シールド部材３５をボックスベース３１に配設することにより、かかるシールド部材３５は、音声制御基板２８及びランプ制御基板２９の半田面と対向した状態で両基板２８，２９に隣接配置されるのである。
【００７０】
シールド部材３５は、その右側部分に音声制御基板２８の半田面と対向して隣接配置される略矩形板状の覆設板３５ａが形成される一方、その左側部分にランプ制御基板２９の半田面と対向して隣接配置される略矩形板状の覆設板３５ｂが形成されている。また、シールド部材３５は、その覆設板３５ａ，３５ｂが略板状の連設板３５ｃにより互いに連設され、音声制御基板２８及びランプ制御基板２９に跨るようにして隣接配置されている。よって、１つのシールド部材３５で両制御基板２８，２９に対する各種ノイズの遮断を行うことができるので、音声制御基板２８及びランプ制御基板２９にそれぞれ別個にシールド部材を隣接配置する必要がなく、その分、サブ基板ボックス３０の組立作業を簡素化することができる。
【００７１】
覆設板３５ａの四隅には音声制御基板２８の半田面側へ向けて突出された取付ステー３５ｄがそれぞれ立設されており、この各取付ステー３５ｄの先端部分には音声制御基板２８の半田面に対して略平行に折り曲げ形成された受け板３５ｄ１が連設されている（図６参照）。図６は、主基板ボックス２３の側方に配設されたサブ基板ボックス３０の断面図であるが、この図６に示すように、各受け板３５ｄ１は、音声制御基板２８の半田面（図６の下側面）と当接可能に形成されており、この各受け板３５ｄ１が音声制御基板２８の半田面と当接することにより、取付ステー３５ｄの突出長さ分の空隙を覆設板３５ａと音声制御基板２８との対向面間に設けることができる。よって、かかる空隙により音声制御基板２８の半田面とシールド部材３５の覆設板３５ａとの接触を防止することができるのである。
【００７２】
また、各受け板３５ｄ１には、上述したボックスベース３１の各通穴３１ａ２に対応して略円形状の通穴３５ｄ２がそれぞれ穿設されている。これらの４つの通穴３５ｄ２は、ボックスベース３１にボックスカバー３３をねじ止めするためのビスＢ１が挿入可能に形成されている。
【００７３】
一方、図４に示すように、覆設板３５ｂの四隅にはランプ制御基板２９の半田面側へ向けて突出された取付ステー３５ｅがそれぞれ立設されており、この各取付ステー３５ｅの先端部分にはランプ制御基板２９の半田面に対して略平行に折り曲げ形成された受け板３５ｅ１が連設されている（図６参照）。図６に示すように、各受け板３５ｅ１は、ランプ制御基板２９の半田面（図６の下側面）と当接可能に形成されており、この各受け板３５ｅ１がランプ制御基板２９の半田面と当接することにより、取付ステー３５ｅの突出長さ分の空隙を覆設板３５ｂとランプ制御基板２９との対向面間に設けることができる。よって、かかる空隙によりランプ制御基板２９の半田面とシールド部材３５の覆設板３５ｂとの接触を防止することができるのである。
【００７４】
また、各受け板３５ｅ１には、上述したボックスベース３１の各通穴３１ｂ２に対応して略円形状の通穴３５ｅ２がそれぞれ穿設されている。これらの４つの通穴３５ｅ２は、ボックスベース３１にボックスカバー３４をねじ止めするためのビスＢ１が挿入可能に形成されている。
【００７５】
図４に示すように、シールド部材３５の連設板３５ｃの下側部分には、上述したボックスベース３１の切欠３１ｄに対応して、略逆Ｕ字状の切欠３５ｆが設けられている。この切欠３５ｆは、上述したボックスベース３１の切欠３１ｄから導出される可変入賞装置１６のプリント回路基板（図示せず）に接続される通信ケーブルを導出するための開口である。
【００７６】
シールド部材３５の覆設板３５ａの右側縁部、及び、覆設板３５ｂの左側縁部には略円形状の位置決め穴３５ｇ，３５ｈが上述したボックスベース３１の位置決め突起３１ｅ，３１ｆに対応してそれぞれ穿設されている。この一対の位置決め穴３５ｇ，３５ｈは、位置決め突起３１ｅ，３１ｆを填め込み可能に形成されており、これらの各位置決め突起３１ｅ，３１ｆを各位置決め穴３５ｇ，３５ｈに填め込むことにより、シールド部材３５をボックスベース３１に位置決めすることができる。
【００７７】
また、シールド部材３５の連設板３５ｃの略中央部分には、略円形状の通穴３５ｉが穿設されている。この通穴３５ｉは、上述したビスＢ２を挿入可能に形成されており、上述したボックスベース３１のねじ止め部３１ｇに対応して穿設されている。よって、この通穴３５ｉへビスＢ２を挿入して、ビスＢ２をボックスベース３１のねじ止め部３１ｇのねじ穴へねじ込むことにより、シールド部材３５をボックスベース３１に仮止めすることができるのである。
【００７８】
上記のように構成されたシールド部材３５によれば、そのシールド部材３５は、音声制御基板２８及びランプ制御基板２９の半田面側を覆うようにしてボックスベース３１に配設され、かつ、導電性を有する薄板状の金属材料で形成されるので、サブ基板ボックス３０の外部からの電磁気的ノイズを遮断して、かかる電磁気的ノイズが音声制御基板２８及びランプ制御基板２９へ侵入することを防止することができる。
【００７９】
しかも、シールド部材３５は、音声制御基板２８及びランプ制御基板２９の半田面側、即ち、音声制御基板２８及びランプ制御基板２９における電子部品の搭載面と反対側面を覆うようにして配置されている。このため、シールド部材３５によりサブ基板ボックス３０に収容された音声制御基板２８及びランプ制御基板２９の部品面が覆い隠されることがなく、サブ基板ボックス３０に収容された両制御基板２８，２９の電子部品搭載面を容易に視認することができる。よって、音声制御基板２８及びランプ制御基板２９の電子部品に生じる破損等の異常を容易に発見することができる。
【００８０】
接続部材３６は、上述したシールド部材３５と主基板ボックス取付ベース２５のシールド部材２５ａとを電気的に接続するためのものであり、導電性を有する銅材やバネ鋼材等の弾性変形可能な金属材料で薄板状に形成されている。この接続部材３６は、シールド部材３５の覆設板３５ｂに止着される止着部３６ａと、その止着部３６ａに連設され、シールド部材２５ａの側板２５ａ２と当接される当接部３６ｂとを備えている。
【００８１】
接続部材３６の止着部３６ａは、接続部材３６の一側（図４の右側）部分に設けられており、２本のリベット３７によりシールド部材３５の覆設板３５ｂに止着されている。この止着部３６ａの止着によって、接続部材３６は、シールド部材３５の覆設板３５ｂと当接されて電気的に接続されるのである。一方、接続部材３６の当接部３６ｂは、接続部材３６の他側（図４の左側）部分に設けられている。この当接部３６ｂは、シールド部材３５の覆設板３５ｂ左側縁部から外方（図４の左側）へ向けて延出されており、止着部３６ａに対して略く字状にボックスカバー３４側へ向けて屈曲されている。
【００８２】
図５（ａ）に示すように、ボックスベース３１における各配置板３１ａ，３１ｂの下側縁部には、一対の取付フック３１ｈ，３１ｈがそれぞれ下方へ向けて突設されている。この一対の取付フック３１ｈ，３１ｈは、図５（ｂ）に示すように、ボックスベース３１における入賞球集合カバー２７の対向面から側面視略Ｌ字状に折り曲げ形成されており、後述する入賞球集合カバー２７のフック部２７ｅに引っ掛けられて係止されるように形成されている。よって、かかる一対の取付フック３１ｈ，３１ｈを入賞球集合カバー２７のフック部２７ｅに引っ掛けて係止することによって、入賞球集合カバー２７に取付具３２を介して取り付けられるサブ基板ボックス３０のガタつきを防止することができるのである。
【００８３】
また、図５（ａ）に示すように、ボックスカバー３３は、ボックスベース３１の連設板３１ｃに隣接する側壁板３３ｄが天板３３ａから連設板３１ｃへ向けて傾斜される一方、ボックスカバー３４は、ボックスベース３１の連設板３１ｃに隣接する側壁板３４ｅが天板３４ａから連設板３１ｃへ向けて傾斜されている。このため、ボックスカバー３３，３４の対向面間（側壁板３３ｄ、３４ｅの対向面間）の間隙幅は、連設板３１ｃ側から天板３３ａ，３４ａ側へ向けて、即ち、図５（ａ）の略垂直方向奥側から手前側へ向けて拡大するようにされている。よって、サブ基板ボックス３０を入賞球集合カバー２７に着脱するために取付具３２を操作する際に、ボックスカバー３３，３４間に容易に指先を挿入することができるのである。
【００８４】
図５（ｂ）に示すように、入賞球集合カバー２７は、その上部に後述するサブ基板ボックス３０の取付具３２が着脱可能に係止される略円筒状の固定部２７ａが形成されている。この固定部２７ａは入賞球集合カバー２７に一体成形されており、その内部に後述する取付具３２のロック部材３２ａが挿嵌可能な円形状の挿嵌穴２７ｂが凹設されている。
【００８５】
また、固定部２７ａの下方には、遊技盤５に装着された可変入賞装置１６の裏面側が露出される略矩形状の開口である窓部２７ｃが穿設されている。この窓部２７ｃの下側縁部には、サブ基板ボックス３０側（図５（ｂ）の左側）へ向けて略水平に立設される壁材２７ｄが設けられており、かかる壁材２７ｄの先端部（図５（ｂ）の左側）には上方へ向けて略直角に折り曲げ形成されたフック部２７ｅが立設されている。このフック部２７ｅは、上述したサブ基板ボックス３０のボックスベース３１に設けられる取付フック３１ｈが係止されるものである。
【００８６】
上記のように構成されたサブ基板ボックス３０によれば、それぞれ別体に形成された音声制御基板２８及びランプ制御基板２９がまとめて被包されるので、これらの各基板２８，２９を取付具３２を介して入賞球集合カバー２７の固定部２７ａにまとめて取り付けることができるのである。
【００８７】
よって、かかる別体に形成された音声制御基板２８及びランプ制御基板２９を別々に入賞球集合カバー２７に取り付ける必要がなく、その分、パチンコ機１の組立作業を簡素化して、かかる組立コストを低減することができるのである。
【００８８】
サブ基板ボックス３０は、遊技盤５の裏面側におけるＬＣＤ１４の配設位置下方であって入賞球集合カバー２７の裏面側に取り付けられるので、サブ基板ボックス３０がＬＣＤ１４の取付位置と干渉することを防止することができる。よって、サブ基板ボックス３０を遊技盤５に取り付ける場合には、パチンコ機１におけるＬＣＤ１４の設置位置を変更するなどの設計変更することなく、サブ基板ボックス３０の設置スペースを確保することができる。また、かかる入賞球集合カバー２７の裏面側にサブ基板ボックス３０が取り付けられることにより、遊技盤５がパチンコ機１に取り付けられる場合に、サブ基板ボックス３０が機構板２３に配設される各部材と干渉することを防止することができるのである。
【００８９】
更に、サブ基板ボックス３０を入賞球集合カバー２７に着脱可能に取り付ける取付具３２は、ボックスカバー３３，３４の間部分に設けられた連設板３１ｃに取着されるので、かかる取付具３２がＬＣＤ１４の取付位置と干渉することを防止ことができる。しかも、サブ基板ボックス３０は主基板ボックス２３の側方に隣接して取り付けられるので、サブ基板ボックス３０に収容される音声制御基板２８及びランプ制御基板２９と主基板２４とを接続する通信ケーブルの長さを余分に大きくする必要がない。
【００９０】
ところで、従来のパチンコ機では、音声制御回路、ランプ制御回路およびメイン制御回路が全て主基板２４に搭載されるので、例えば、音声制御回路に故障があり、かつ、その修理が困難な場合に主基板２４全体を交換する必要があり、その分、メンテナンス費が高くなってしまう。しかしながら、本実施例のパチンコ機１では、音声制御基板２８およびランプ制御基板２９は、主基板ボックス２３に収容される主基板２４と別体に形成されている。
【００９１】
しかも、これらの音声制御基板２８とランプ制御基板２９は、その制御対象が異なるため、即ち、音声制御基板２８は、主基板２４からの制御用データを受信することによりスピーカ２１を作動させて音声を発生させる一方、ランプ制御基板２９は、主基板２４からの制御用データを受信することにより複数のランプ８ａを点灯または消灯させるため、両制御基板２８，２９はそれぞれ電気的に分離されている。
【００９２】
よって、例えば、音声制御基板２８又はランプ制御基板２９のいずれか一方に故障が発生した場合に、その故障がある音声制御基板２８又はランプ制御基板２９のいずれか一方のみを交換して修理することができる。従って、従来のパチンコ機１のように、主基板２４全体を交換する必要がないので、その分、パチンコ機１のメンテナンス費を低減することができる。
【００９３】
しかも、音声制御基板２８とランプ制御基板２９とは、それぞれ別体に形成され、かつ、ボックスベース３１およびボックスカバー３３，３４により別々に被包されつつ収容されている。よって、音声制御回路２８またはランプ制御基板２９のいずれか一方、例えば、音声制御基板２８に故障が発生した場合には、音声制御回路２８のみをボックスベース３１およびボックスカバー３３から取り外して点検、修理すれば良く、ランプ制御基板２９をボックスベース３１及びボックスカバー３４から取り外す必要がない。
【００９４】
次に、図６を参照して、接続部材３６によるシールド部材２５ａ，３５の電気的な接続状態について説明する。図６は、図２のＶＩ−ＶＩ線における部分断面図であり、図中の矢印Ｘは当接部３６ｂの揺動方向を示している。尚、図６では、サブ基板ボックス３０が入賞球集合カバー２７に取り付けられた状態、即ち、接続部材３６がシールド部材２５ａの側板２５ａ２により押さえ付けられて弾性変形した状態を実線で図示する一方、サブ基板ボックス３０が入賞球集合カバー２７から取り外された状態、即ち、接続部材３６が弾性変形していない状態を２点鎖線で図示している。また、図６では、サブ基板ボックス３０が取り付けられる入賞球集合カバー２７の図示を省略している。
【００９５】
図６に示すように、上述したボックスカバー３３には、ボックスベース３１の各通穴３１ａ２に対応して、音声制御基板２８、ボックスベース３１及びシールド部材３５をねじ止めするためのビスＢ１がねじ込まれる略円筒状のねじ止め部３３ｈが音声制御基板２８へ向けて垂設されている。一方、上述したボックスカバー３４には、ボックスベース３１の各通穴３１ｂ２に対応して、ランプ制御基板２９、ボックスベース３１及びシールド部材３５をねじ止めするためのビスＢ１がねじ込まれる略円筒状のねじ止め部３４ｈがランプ制御基板２９へ向けて垂設されている。このボックスカバー３３の各ねじ止め部３３ｈの下方には、音声制御基板２８、シールド部材３５の受け板３５ｄ１、ボックスベース３１が上側から順に積層されている。
【００９６】
尚、ボックスカバー３３，３４のねじ止め部３３ｈ，３４ｈは、図４に示すボックスカバー３３，３４の四隅にそれぞれ１つずつ立設されている。
【００９７】
これらの各ねじ止め部３３ｈ，３４ｈの下端面にはビスＢ１をねじ込むためのねじ穴３３ｈ１，３４ｈ１がそれぞれ凹設されている。ビスＢ１は、その先端部分（図６の上側）が各ねじ止め部３３ｈ，３４ｈのねじ穴３３ｈ１，３４ｈ１にそれぞれねじ込まれると共に、その頭部（図６の下側）がボックスベース３１におけるシールド部材３５の反配設側面（図６の下側面）に引っ掛けられて、音声制御基板２８，ランプ制御基板２９、シールド部材３５及びボックスベース３１を取着するものである。このビスＢ１によりボックスカバー３３，３４にねじ止めされる音声制御基板２８及びランプ制御基板２９には、その半田面（図６の下側面）に音声制御基板２８及びランプ制御基板２９を接地（アース）するためのグランド（ランド）２８ｅ，２９ｅがエッチング処理により形成されている。
【００９８】
音声制御基板２８のグランド２８ｅは上述した音声制御回路のグランドと電気的に接続されており、コネクタ２８ａに接続される通信ケーブルを介して主基板２４のメイン制御回路のグランドと電気的に接続されている。一方、ランプ制御基板２９のグランド２９ｅは上述したランプ制御回路のグランドと電気的に接続されており、コネクタ２９ａに接続される通信ケーブルを介して主基板２４のメイン制御回路のグランドと電気的に接続されている。
【００９９】
音声制御基板２８のグランド２８ｅは、シールド部材３５の受け板３５ｄ１と当接されており、この当接により音声制御基板２８のグランド２８ｅとシールド部材３５とが電気的に接続されている。一方、ランプ制御基板２９のグランド２９ｅは、シールド部材３５の受け板３５ｅ１と当接されており、この当接によりランプ制御基板２９のグランド２９ｅとシールド部材３５とが電気的に接続されている。よって、シールド部材３５と、音声制御基板２８のグランド２８ｅ及びランプ制御基板２９のグランド２９ｅとを同電位にすることができる。従って、シールド部材３５が帯電することが防止されるので、かかる帯電による音声制御基板２８やランプ制御基板２９に搭載された電子部品の誤動作を防止することができる。
【０１００】
接続部材３６は上述したように導電性を有する金属材料で弾性変形可能に形成されており、その当接部３６ｂがボックスカバー３４の側壁板３４ｄとボックスベース３１との間から主基板ボックス２３配設側の外方へ向けて延出（突出）されている。この接続部材３６は、図６中の２点鎖線で図示されるように、その当接部３６ｂがサブ基板ボックス３０のボックスベース３１側と反対側（図６の左上側）へ傾斜して延出されており、かかる当接部３６ｂが矢印Ｘ方向、即ち、ボックスカバー３４の側壁板３４ｄ側へ向けて揺動可能に形成されている。
【０１０１】
接続部材３６によれば、図６中の実線で図示されるように、サブ基板ボックス３０が主基板ボックス２３の側方に配置された場合、当接部３６ｂがサブ基板ボックス３０におけるボックスカバー３４の側壁板３４ｄとシールド部材２５ａの側板２５ａ２との間に弾性変形した状態で挟まれて、シールド部材２５ａの側板２５ａ２に当接される。しかも、弾性変形した接続部材３６は、その復元力により当接部３５ｂをシールド部材２５ａの側板２５ａ２へ向けて付勢するので、接続部材３６の当接部３６ｂとシールド部材２５ａとの接触不良による電気的な接続不良を防止して、シールド部材２５ａとシールド部材３５との電気的な接続を確実に行うことができる。
【０１０２】
また、接続部材３６の当接部３６ｂはシールド部材２５ａの側板２５ａ２へ向けて凸状に形成された突起部３６ｃを備えており、この突起部３６ｃを介して接続部材３６とシールド部材２５ａとの当接は行われる。よって、シールド部材２５ａを付勢する接続部材３６の付勢力が小さい場合であっても、接続部材３６とシールド部材２５ａとの当接面に加わる圧力を大きくすることができるので、接続部材３６とシールド部材２５ａとの接触抵抗を小さくすることができる。従って、接続部材３６を介してシールド部材２５ａとシールド部材３５との間を流れる電流が流れ易くなり、かかるシールド部材２５ａとシールド部材３５との間における導通性を向上させることができる。
【０１０３】
次に、図５及び図６を参照して、上記のように構成されたサブ基板３０の取付方法について説明する。まず、サブ基板ボックス３０のボックスベース３１側面（図５（ｂ）の右側面）を入賞球集合カバー２７の裏面側（図５（ｂ）の左側面）に対向させて配置する。サブ基板ボックス３０の配置後、図６に示すように、サブ基板ボックス３０を図６中の２点鎖線の位置から入賞球集合カバー２７へ向けて、即ち、図６中の実線の位置へ向けて移動させる。この移動が続行されると、接続部材３６の当接部３６ｂ先端がシールド部材２５ａの側板２５ａ２と当接される。その後、サブ基板ボックス３０の移動を更に続けると、接続部材３６の当接部３６ｂは、図６の矢印Ｘ方向へ向けて揺動されて、その当接部３６ｂの突起部３６ｃがシールド部材２５ａの側板２５ａ２と当接される。
【０１０４】
サブ基板ボックス３０の移動が完了し、そのボックスベース３１の一対の取付フック３１ｈ，３１ｈが入賞球集合カバー２７のフック部２７ｅに引っ掛けられると（図５（ｂ）参照）、図６に示すように、サブ基板ボックス３０が主基板ボックス２３の側方に配置される。このサブ基板ボックス３０の配置により、接続部材３６の当接部３６ｂがボックスカバー３４の側壁板３４ｄとシールド部材２５ａの側板２５ａ２との間に弾性変形した状態で挟まれ、その当接部３６ｂの突起部３６ｃがシールド部材２５ａの側板２５ａ２に当接される。
【０１０５】
このようにして、接続部材３６の当接部３６ｂとシールド部材２５ａの側板２５ａ２とが当接されることにより、主基板２４に隣接配置されるシールド部材２５ａと音声制御基板２８及びランプ制御基板２９に隣接配置されるシールド部材３５とが電気的に接続される。この電気的な接続により、シールド部材２５ａの表面積はシールド部材３５の表面積の分だけ拡大される一方、シールド部材３５の表面積はシールド部材２５ａの表面積の分だけ拡大される。この各シールド部材２５ａ，３５の接続による表面積の拡大により、シールド部材２５ａ，３５による各種ノイズ、例えば、電磁気的ノイズや静電気ノイズ等の遮断特性が向上され、主基板２４、音声制御基板２８及びランプ制御基板２９におけるノイズ耐圧が向上される。
【０１０６】
一方、ボックスベース３１の一対の取付フック３１ｈ，３１ｈが入賞球集合カバー２７におけるフック部２７ｅに引っ掛けられて係止されると、取付具３２のロック部材３２ａが固定部２７ａの挿嵌穴２７ｂ内へ挿嵌される。ロック部材３２ａの挿嵌穴２７ｂへの挿嵌後、ボタン部材３２ｂを入賞球集合カバー２７側（図５（ｂ）の右側）へ向けて押し込むと、ボタン部材３２ｂによりロック部材３２ａの先端部の外径が拡大されて挿嵌穴２７ｂ内に係止される。その結果、図５（ｂ）に示すようにサブ基板ボックス３０が入賞球集合カバー２７に着脱可能に取り付けられる。
【０１０７】
次に、サブ基板３０の取り外し方法について説明する。まず、取付具３２のボタン部材３２ｂを入賞球集合カバー２７側と反対側（図５（ｂ）の左側）へ向けて引っ張ると、そのボタン部材３２ｂが入賞球集合カバー２７側と反対側へ向けて摺動され、この摺動に伴ってロック部材３２ａの先端部の外径が縮小されて、ロック部材３２ａと挿嵌穴２７ｂとの係止が解除される。かかる係止の解除により、サブ基板ボックス３０が入賞球集合カバー２７から取り外し可能となる。
【０１０８】
取付具３２のロック部材３２ａの係止解除後、取付具３２のロック部材３２ａが挿嵌穴２７ｂから引き抜かれ、更に、ボックスベース３１における一対の取付フック３１ｈ，３１ｈが入賞球集合カバー２７のフック部２７ｅから外されると、接続部材３６の当接部３６ｂがシールド部材２５ａの側板２５ａ２から離間され、接続部材３６の当接部３６ｂが弾性復元性により図６の反矢印Ｘ方向へ向けて揺動されて、その当接部３６ｂが図６中の２点鎖線の位置へ復帰される。
【０１０９】
このようにして、接続部材３６によれば、サブ基板ボックス３０の入賞球集合カバー２７からの取り外しに応じて、その接続部材３６によるシールド部材２５ａ，３５の電気的な接続を解除することができる。即ち、サブ基板ボックス３０の取り外し作業と接続部材３６による電気的な接続の解除作業とをほぼ同時に一括して行うことができる。このため、音声制御基板２８又はランプ制御基板２９に搭載される電子部品の故障によりサブ基板ボックス３０を取り外す場合に、シールド部材２５ａ，３５の電気的な接続の解除作業を容易に行うことができる。
【０１１０】
以上説明したように本実施例のパチンコ機１によれば、音声制御基板２８及びランプ制御基板２９に隣接配置されたシールド部材３５は、そのシールド部材３５に止着される接続部材３６によって、主基板２４に隣接配置されるシールド部材２５ａと電気的に接続することができる。よって、この接続部材３６による接続により、シールド部材２５ａの表面積はシールド部材３５の表面積の分だけ拡大され、かつ、シールド部材３５の表面積はシールド部材２５ａの表面積の分だけ拡大されるので、その分、シールド部材２５ａ，３５による各種ノイズ、例えば、電磁気的ノイズや静電気ノイズ等の遮断特性を向上して、主基板２４、音声制御基板２８及びランプ制御基板２９におけるノイズ耐圧を向上させることができる。このため、主基板２４、音声制御基板２８及びランプ制御基板２９に搭載される電子部品の誤動作の発生頻度を低減させて、これらの電子部品を正常に動作させることができるのである。
【０１１１】
また、シールド部材３５は、サブ基板ボックス３０における音声制御基板２８及びランプ制御基板２９とボックスベース３１との間部分に配設されるので、サブ基板ボックス３０のパチンコ機１（入賞球集合カバー２７）への取付作業とシールド部材３５のパチンコ機１への取付作業とを一括して行うことができる一方、サブ基板ボックス３０のパチンコ機１からの取り外し作業とシールド部材３５のパチンコ機１からの取り外し作業とを一括して行うことができる。従って、サブ基板ボックス３０の取付作業（又は取り外し作業）とシールド部材３５と取付作業（又は取り外し作業）とを別々に行う必要がなく、パチンコ機１の組立作業を簡素化することができる。
【０１１２】
しかも、接続部材３６によるシールド部材２５ａ，３５の電気的な接続は、サブ基板ボックス３０のパチンコ機１への取り付けられた場合、即ち、シールド部材３５がパチンコ機１に取り付けられた場合に、その取付作業と一括して（同時に）行われる。このため、パチンコ機１の組立の際に、サブ基板ボックス３０の取付作業、即ち、シールド部材３５の取付作業の他に、シールド部材２５ａ，３５の接続作業を行う必要がない。よって、例えば、シールド部材２５ａにリード線などの接続線の一端側をねじ止めにより接続する一方、シールド部材３５に接続線の他端側をねじ止めにより接続して、両シールド部材２５ａ，３５を電気的に接続するの接続作業を行う必要がなく、パチンコ機１の組立作業を簡素化することができる。
【０１１３】
図７は、第２実施例のパチンコ機に使用されるサブ基板ボックス４０の分解斜視図である。第２実施例のサブ基板ボックス４０は、上記の第１実施例のサブ基板ボックス３０に対して、接続部材を変更したものである。以下、第１実施例と同一の部分には同一の符号を付してその説明を省略し、異なる部分のみを説明する。
【０１１４】
シールド部材３５の覆設板３５ｂにおける左側縁部には接続部材４１が止着されている。接続部材４１は、シールド部材３５と主基板ボックス取付ベース２５のシールド部材２５ａとを電気的に接続するためのものであり、銅材やバネ鋼材等の導電性を有し弾性変形可能な金属材料で薄板状に構成されている。この接続部材４１は、覆設板３５ｂの左側縁部（シールド部材２５ａとの対向側縁部（図８参照））のほぼ全域に連続して設けられており、シールド部材３５の覆設板３５ｂに止着される止着部４１ａと、その止着部４１ａに連設されシールド部材２５ａの側板２５ａ２と当接される当接部４１ｂとを備えている。
【０１１５】
接続部材４１の止着部４１ａは、その長手方向（図７の上下方向）両端部分がリベット４２によりシールド部材３５の覆設板３５ｂにそれぞれ止着されており、この止着によりシールド部材３５の覆設板３５ｂと当接されて電気的に接続されている。一方、接続部材４１の当接部４１ｂは、止着部４１ａに対して略く字状に折り曲げられ、シールド部材３５の覆設板３５ｂの外方（図７の左側）へ向けて延出（突出）されている。この当接部４１ｂは、その先端部と止着部４１ａとの間部分が略く字状に更に折り曲げられており、かかる折り曲げによりシールド部材３５の左側方へ凸状に隆起（突出）する突起部４１ｃが形成されている。
【０１１６】
図８は、主基板ボックス２３及びサブ基板ボックス４０の部分断面図である。尚、図８では、サブ基板ボックス４０が入賞球集合カバー２７に取り付けられた状態、即ち、接続部材４１がシールド部材２５ａの側板２５ａ２により押さえ付けられて弾性変形した状態を実線で図示し、サブ基板ボックス４０が入賞球集合カバー２７から取り外された状態、即ち、接続部材４１が弾性変形していない状態を２点鎖線で図示している。また、図８では、サブ基板ボックス４０が取り付けられる入賞球集合カバー２７の図示を省略している。
【０１１７】
接続部材４１は、上述したように導電性を有する金属材料で弾性変形可能に形成され、かつ、当接部４１ｂにシールド部材２５ａの側板２５ａ２へ向けて凸状に隆起する突起部４１ｃが形成されており、サブ基板ボックス４０が入賞球集合カバー２７から取り外された場合に、その当接部４１ｂが主基板ボックス２３配設側（シールド部材２５ａ配設側）へ向けて突出するように形成されている（図８中の２点鎖線参照）。
【０１１８】
このため、接続部材４１によれば、サブ基板ボックス４０が入賞球集合カバー２７（パチンコ機１）に取り付けた場合、その当接部４１ｂは、シールド部材２５ａの側板２５ａ２と当接され、かかる当接により押圧されて図８の実線で図示するように弾性変形される。しかも、弾性変形した接続部材４１は、その復元力により当接部４１ｂをシールド部材２５ａの側板２５ａ２へ向けて付勢するので、接続部材４１の当接部４１ｂとシールド部材２５ａとの接触不良による電気的な接続不良を防止して、接続部材４１によるシールド部材２５ａとシールド部材３５との電気的な接続を確実に行うことができる。
【０１１９】
また、接続部材４１の当接部４１ｂはシールド部材２５ａの側板２５ａ２へ向けて凸状に隆起する突起部４１ｃが形成されており、この突起部４１ｃを介して接続部材４１の当接部４１ｂとシールド部材２５ａの側板２５ａ２との当接は行われる。よって、シールド部材２５ａを付勢する接続部材４１の付勢力が小さい場合であっても、接続部材４１とシールド部材２５ａとの当接面に加わる圧力を大きくすることができるので、接続部材４１とシールド部材２５ａとの接触抵抗を小さくすることができる。従って、接続部材４１を介してシールド部材２５ａとシールド部材３５との間を流れる電流が流れ易くなり、かかるシールド部材２５ａとシールド部材３５との間における導通性を向上させることができる。
【０１２０】
しかも、接続部材４１は、覆設板３５ｂの左側縁部（シールド部材２５ａとの対向側縁部（図８参照））のほぼ全域に連続して設けられ、その当接部４１ｂが幅広に形成されている。このため、接続部材４１の当接部４１ｂとシールド部材２５ａとの接触面積が大きくされるので、接続部材４１を介してシールド部材２５ａとシールド部材３５との間を流れる電流を更に流れ易くして、かかるシールド部材２５ａとシールド部材３５との間における導通性を更に向上させることができるのである。
【０１２１】
図９は、第３実施例のパチンコ機に使用される主基板ボックス２３、その主基板ボックス２３に隣接配置されるシールド部材５１及びサブ基板ボックス５２の部分断面図である。第３実施例のパチンコ機は、上記の第１実施例の主基板ボックス取付ベース２５のシールド部材２５ａ及びサブ基板ボックス３０のボックスベース３１に代えて、主基板ボックス取付ベース２５にシールド部材５１を使用し、かつ、サブ基板ボックス５２にボックスベース５３を使用することにより、２つのシールド部材の接続方法を変更したものである。以下、第１実施例と同一の部分には同一の符号を付してその説明を省略し、異なる部分のみを説明する。
【０１２２】
第３実施例のパチンコ機では、主基板ボックス２３に隣接配置されるシールド部材５１からボックスベース５３の背面（図９の下側面）へ向けて接続片（接続手段）５１ａが延出されると共に、その接続片５１ａの先端部にボックスベース５３へ向けて突出した当接部（突出部材）５１ｂが突設されている。
【０１２３】
シールド部材５１の接続片５１ａはシールド部材５１に連設されており、この接続片５１ａ及び当接部５１ｂはそれぞれ導電性を有する金属材料で構成されている。しかも、ボックスベース５３には、接続片５１ａの当接部５１ｂに対応して開口５３ａが穿設されており、かかる開口５３ａを介して、接続片５１ａの当接部５１ｂとシールド部材３５の背面（接続面）（図９の下側面）とが当接されている。よって、接続片５１ａの当接部５１ｂを介して、主基板ボックス取付ベース２５のシールド部材５１とサブ基板ボックス５２のシールド部材３５とを電気的に接続することができる。
【０１２４】
また、この接続片５１ａ及び当接部５１ｂは弾性復元性を備え弾性変形可能に形成されているので、この接続片５１ａ及び当接部５１ｂの弾性復元性により当接部５１ｂはシールド部材３５へ向けて付勢されるので、接続片５１ａの当接部５１ｂとシールド部材３５との接触不良による電気的な接続不良を防止して、接続片５１ａによるシールド部材５１とシールド部材３５との電気的な接続を確実に行うことができる。
【０１２５】
以上、実施例に基づき本発明を説明したが、本発明は上記実施例に何ら限定されるものではなく、本発明の趣旨を逸脱しない範囲内で種々の改良変形が可能であることは容易に推察できるものである。
【０１２６】
本実施例では、本発明の第１制御基板として主基板２４を用いて説明し、本発明の第２制御基板として音声制御基板２８及びランプ制御基板２９を用いて説明したが、必ずしも第１制御基板が主基板、第２制御基板が音声制御基板およびランプ制御基板である必要はなく、例えば、本発明の第１制御基板を音声制御基板やランプ制御基板に適用し、本発明の第２制御基板を主基板に適用しても良い。
【０１２７】
例えば、第３実施例では、当接部５１ｂのシールド部材３５との当接面をシールド部材３５に直接当接させたが、当接部５１ｂのシールド部材３５との当接面にシールド部材３５へ向けて突出した突起部を設け、かかる突起部を介して当接部５１ｂをシールド部材３５に当接させても良い。
【０１２８】
以下本発明の変形例を示す。遊技の制御を行う電子部品を搭載した第１制御基板および第２制御基板と、その第１制御基板に隣接配置され電磁気的ノイズを遮断する第１ノイズ遮蔽部材と、その第１ノイズ遮蔽部材の近傍に着脱自在に取り付けられると共に前記第２制御基板に隣接配置され電磁気的ノイズを遮断する第２ノイズ遮蔽部材とを備えた遊技機において、前記第１ノイズ遮蔽部材の近傍に前記第２ノイズ遮蔽部材を取り付けることに応じて、その第２ノイズ遮蔽部材と前記第１ノイズ遮蔽部材とを電気的に接続する接続手段を備えていることを特徴とする遊技機０。
遊技機０において、前記接続手段は、前記第２ノイズ遮蔽部材を前記第１ノイズ遮蔽部材の近傍から取り外すことに応じて、その第１ノイズ遮蔽部材と前記第２ノイズ遮蔽部材との電気的な接続を解除するように構成されていることを特徴とする遊技機１。よって、第１及び第２ノイズ遮蔽部材の電気的な接続の解除は、接続手段によって、第２ノイズ遮蔽部材を第１ノイズ遮蔽部材の近傍から取り外すことに応じて行われるので、第２ノイズ遮蔽部材を遊技機から取り外す際に、第２ノイズ遮蔽部材の取り外し作業の他に第１及び第２ノイズ遮蔽部材との接続を解除する作業を行う必要がない。
【０１２９】
遊技機０又は１において、前記接続手段は、前記第１又は第２ノイズ遮蔽部材の一方から他方へ向けて突出される導電性を備えた突出部材で構成されており、前記第１又は第２ノイズ遮蔽部材の他方には前記第１ノイズ遮蔽部材が取付位置に取り付けられた状態で前記突出部材と当接される接続面が設けられていることを特徴とする遊技機２。この遊技機２によれば、第２ノイズ遮蔽部材が第１ノイズ遮蔽部材の近傍に取り付けられると、導電性を備えた突出部材が接続面と当接されるので、この当接によって第１ノイズ遮蔽部材と第２ノイズ遮蔽部材とを電気的に接続することができる。
【０１３０】
遊技機２において、前記突出部材は、その突出部材における前記接続面との当接部分をその当接面へ付勢するため弾性変形可能に形成されていることを特徴とする遊技機３。よって、第２ノイズ遮蔽部材が第１ノイズ遮蔽部材の近傍に取り付けられた場合、突出部材の弾性変形によって、突出部材の接続面との当接部分は接続面へ向けて付勢されるので、突出部材と接続面との接触不良による第１及び第２ノイズ遮蔽部材の電気的な接続不良を防止して、両ノイズ遮蔽部材を電気的に確実に接続することができる。
【０１３１】
遊技機２，３において、前記接続手段の突出部材、又は、その突出部材と対向する前記接続面の一方は他方へ向けて凸状に突設された接点部を備えていることを特徴とする遊技機４。よって、突出部材と接続面との接触は凸状に突設された接点部を介して行われるので、突設部材と接続面との当接（接触）部分に加わる圧力を大きくして、かかる当接部分の接触抵抗を小さくすることができる。従って、例えば、突出部材を介して第１又は第２ノイズ遮蔽部材の一方から第１又は第２ノイズ遮蔽部材の他方へと流れる電流を流れ易くして、第１及び第２ノイズ遮蔽部材間の導通性を向上させることができる。
【０１３２】
遊技機０から４のいずれかにおいて、前記第２制御基板は、遊技の制御を行う電子部品がそれぞれ搭載され別体に形成された２以上の回路基板からなり、前記第２ノイズ遮蔽部材は、その２以上の回路基板に跨って隣接配置されることを特徴とする遊技機５。よって、第２ノイズ遮蔽部材により、２以上の回路基板へ侵入しようとする電磁気的ノイズをまとめて遮断することができる。このため、第２制御基板の２以上の回路基板毎に電磁気的ノイズを遮断する部材を個別に設ける必要がなく、これらの部材を遊技機に取り付ける手間を省くことができる。
【０１３３】
遊技機０から５のいずれかにおいて、前記第２ノイズ遮蔽部材は、前記第２制御基板における電子部品の搭載面と反対面側に隣接配置されていることを特徴とする遊技機６。よって、第２ノイズ遮蔽部材により第２制御基板における電子部品の搭載面が覆い隠されることがなく、第２制御基板に搭載される電子部品を容易に視認することができる。このため、例えば、第２制御基板に搭載される電子部品を不正に交換する不正行為や、第２制御基板における電子部品の破損等の故障を容易に発見することができる。
【０１３４】
遊技機０から６のいずれかにおいて、前記第１制御基板を収容可能に形成され前記第１ノイズ遮蔽部材が隣接配置された第１制御基板ボックスと、その第１制御基板ボックスの近傍に着脱自在に取り付けられ前記第２制御基板を収容可能に形成された第２制御基板ボックスとを備え、前記第２ノイズ遮蔽部材は前記第２制御基板ボックスに配設されていることを特徴とする遊技機７。
【０１３５】
この遊技機７によれば、第２ノイズ遮蔽部材は、第２制御基板を収容可能に形成された第２制御基板ボックスに配設されるので、第２制御基板ボックスを第１制御基板ボックスの近傍に取り付けることによって、第２ノイズ遮蔽部材を第１ノイズ遮蔽部材の近傍に取り付けることができる。よって、遊技機の組立の際に、第２制御基板ボックスの取付作業と第２ノイズ遮蔽部材の取付作業とを別々に行う必要がなく、遊技機の組立作業を簡素化することができる。
【０１３６】
遊技機７において、前記第１又は第２制御基板ボックスは、その第１又は第２制御基板ボックスに収容された前記第１又は第２制御基板を視認可能に構成されていることを特徴とする遊技機８。よって、例えば、第１制御基板ボックス（又は第２制御基板ボックス）に収容された第１制御基板（又は第２制御基板）にジャンパー線を配線して遊技機の遊技内容を変更する不正行為や、回路パターンを切断等して遊技内容を変更する不正行為を第１制御基板ボックス（又は第２制御基板ボックス）を開封することなく発見することができる。
【０１３７】
また、第１制御基板（又は第２制御基板）に搭載される電子部品、例えば、制御用ＲＯＭ等を違法に交換して遊技機の遊技内容を変更した場合、第１制御基板ボックス（又は第２制御基板ボックス）の外部からその内部に被包された制御用ＲＯＭ等を確認して検査することにより、かかる不正行為を容易に発見することができる。
【０１３８】
遊技機０から８のいずれかにおいて、前記第１又は第２ノイズ遮蔽部材の一方はその第１又は第２制御基板のグランドと電気的に接続されていることを特徴とする遊技機９。よって、第１及び第２ノイズ遮蔽部材により吸収された静電気ノイズに伴う電流は第１又は第２制御基板のグランドへ流されるので、接続手段によって電気的に接続された第１及び第２ノイズ遮蔽部材が静電気ノイズにより帯電することを防止することができる。従って、かかる帯電により第１又は第２制御基板に搭載される電子部品が誤動作することを防止して、かかる電子部品を正常に動作させることができる。
【０１３９】
しかも、接続手段による第１及び第２ノイズ遮蔽部材の接続によって、第１ノイズ遮蔽部材の表面積は第２ノイズ遮蔽部材の表面積の分だけ拡大され、かつ、第２ノイズ遮蔽部材の表面積は第１ノイズ遮蔽部材の表面積の分だけ拡大されるので、その分、第１及び第２ノイズ遮蔽部材による静電気ノイズの遮断特性を向上することができる。このため、第１及び第２制御基板におけるノイズ耐圧が向上されるので、第１及び第２制御基板に搭載された遊技の制御を行う電子部品の静電気ノイズによる誤動作の発生頻度を低減させることができる。
【０１４０】
遊技機５において、前記第２制御基板における２以上の回路基板がそれぞれ配置されるボックスベースと、そのボックスベースに取着され、前記制御基板をそれぞれ別々に被包する２以上のボックスカバーとを有する第２制御基板ボックスを備え、その第２制御基板ボックスには遊技機の裏面側に取り付けられる取付部が設けられていることを特徴とする遊技機１０。
【０１４１】
この遊技機１０によれば、第２制御基板ボックスは、そのボックスベース及び２以上のボックスカバーにより第２制御基板における２以上の回路基板を別々に被包し、取付部により２以上の回路基板を遊技機にまとめて取り付けることをができる。よって、かかる２以上の回路基板を別々に遊技機に取り付ける必要がなく、その分、遊技機の組立作業を簡素化して、かかる組立コストを低減することができる。
【０１４２】
しかも、例えば、２以上の回路基板を機能毎に別々に構成することにより、遊技機の故障個所に応じて、その機能に対応する回路基板のみを保守点検することができる。具体的には、２以上の回路基板のうちの一の回路基板に一の装置、例えば、ランプ装置を作動させる電子部品を搭載し、他の回路基板に他の装置、例えば、スピーカ装置を作動させる電子部品を搭載する。かかる場合に、例えば、ランプ装置に故障が発生したとすると、そのランプ装置を作動させる電子部品を搭載した一の回路基板のみを点検すれば良く、他の回路基板の点検を行う必要がない。よって、遊技機の保守点検コストを低減することができるのである。
【０１４３】
遊技機１０において、前記第２ノイズ遮蔽部材は、前記第２制御基板とともに前記第２制御基板ボックスの内部に配設され、その第２制御基板のグランドと当接して電気的に接続されるグランド接点を備えていることを特徴とする遊技機１１。この遊技機１１によれば、第２ノイズ遮蔽部材は、第２制御基板ボックスの内部に第２制御基板とともに配設されたグランド接点により、その第２制御基板のグランドと電気的に接続されるので、例えば、第２制御基板のグランドにアース線を接続すると共にそのアース線を第２ノイズ遮蔽部材にねじ止めする必要がなく、第２制御基板のグランドと第２ノイズ遮蔽部材との電気的な接続を容易に行うことができる。
【０１４４】
遊技機１０，１１において、前記ボックスベースは、前記２以上のボックスカバーがそれぞれ別々に配置される２以上の配置部と、その２以上の配置部にそれぞれ取着される前記２以上のボックスカバー間に間隙を設けつつ前記２以上の配置部を連結する連結部とを備えており、前記取付部は、その連結部に配設され、かつ、前記ボックスベースを遊技機に着脱可能に取り付けるように構成されていることを特徴とする遊技機１２。
【０１４５】
遊技機１０から１２のいずれかにおいて、前記２以上のボックスカバーは、前記ボックスベースと対向して配設され前記制御基板を覆う天板と、その天板から前記ボックスベースへ向けて立設される側壁板とをそれぞれ備え、前記ボックスカバー間における互いに対向する前記側壁板は、その間隙幅が前記ボックスベース側から前記天板側へ向けて拡大する傾斜面とされていることを特徴とする遊技機１３。
【０１４６】
遊技機１０から１３のいずれかにおいて、前記２以上のボックスカバーは、前記第２制御基板における回路基板に配設されたコネクタを外部へ露出させるコネクタ口を備えており、そのコネクタ口近傍の外壁面がそのコネクタ口へ向けて傾斜される傾斜面とされていることを特徴とする遊技機１４。
【０１４７】
【発明の効果】  請求項１記載の遊技機によれば、第２ノイズ遮蔽部材が第１ノイズ遮蔽部材の近傍に取り付けられた場合に、第１及び第２ノイズ遮蔽部材は接続手段によって電気的に接続されるので、かかる接続により第１ノイズ遮蔽部材の表面積を第２ノイズ遮蔽部材の表面積の分だけ拡大し、かつ、第２ノイズ遮蔽部材の表面積を第１ノイズ遮蔽部材の表面積の分だけ拡大して、第１及び第２ノイズ遮蔽部材による電磁気的ノイズの遮断特性を向上することができる。このため、第１及び第２制御基板におけるノイズ耐圧が向上されるので、第１及び第２制御基板に搭載された遊技の制御を行う電子部品の誤動作の発生頻度を低減させて、これらを正常に動作させることができるという効果がある。
【０１４８】
しかも、第１及び第２ノイズ遮蔽部材の電気的な接続は、接続手段によって、第２ノイズ遮蔽部材を第１ノイズ遮蔽部材の近傍に取り付けることに応じて行われるので、遊技機の組立の際に、第２ノイズ遮蔽部材の取付作業の他に第１及び第２ノイズ遮蔽部材との接続作業をする必要がなく、遊技機の組立作業を簡素化することができるという効果がある。
【０１４９】
また、前記第２ノイズ遮蔽部材は、２以上の回路基板に跨って隣接配置されるので、第２ノイズ遮蔽部材により、２以上の回路基板へ侵入しようとする電磁気的ノイズをまとめて遮断することができる。このため、第２制御基板の２以上の回路基板に電磁気的ノイズを遮断する部材を個別に設ける必要がなく、これらの部材を遊技機に取り付ける手間を省くことができるという効果がある。
【０１５０】
請求項２記載の遊技機によれば、請求項１記載の遊技機の奏する効果に加え、第２制御基板ボックスは、そのボックスベース及び２以上のボックスカバーにより第２制御基板における２以上の回路基板を別々に被包し、取付部により２以上の回路基板を遊技機にまとめて取り付けることをができる。よって、かかる２以上の回路基板を別々に遊技機に取り付ける必要がなく、その分、遊技機の組立作業を簡素化して、かかる組立コストを低減することができるという効果がある。
【０１５１】
しかも、例えば、２以上の回路基板を機能毎に別々に構成することにより、遊技機の故障個所に応じて、その機能に対応する回路基板のみを保守点検することができる。具体的には、２以上の回路基板のうちの一の回路基板に一の装置、例えば、ランプ装置を作動させる電子部品を搭載し、他の回路基板に他の装置、例えば、スピーカ装置を作動させる電子部品を搭載する。かかる場合に、例えば、ランプ装置に故障が発生したとすると、そのランプ装置を作動させる電子部品を搭載した一の回路基板のみを点検すれば良く、他の回路基板の点検を行う必要がない。よって、遊技機の保守点検コストを低減することができるという効果がある。
【０１５２】
請求項３記載の遊技機によれば、請求項２記載の遊技機の奏する効果に加え、第２ノイズ遮蔽部材は、第２制御基板ボックスの内部に第２制御基板とともに配設されたグランド接点により、その第２制御基板のグランドと電気的に接続されるので、例えば、第２制御基板のグランドにアース線を接続すると共にそのアース線を第２ノイズ遮蔽部材にねじ止めする必要がなく、第２制御基板のグランドと第２ノイズ遮蔽部材との電気的な接続を容易に行うことができるという効果がある。
【図面の簡単な説明】
【図１】  本発明の遊技機の一実施例であるパチンコ機の正面図である。
【図２】  パチンコ機の裏面図である。
【図３】  主基板ボックスと主基板ボックス取付ベースとの分解斜視図である。
【図４】  サブ基板ボックスの分解斜視図であり、
【図５】  （ａ）は、サブ基板ボックスの組立状態における平面図であり、（ｂ）は、（ａ）のＢ−Ｂ線におけるサブ基板ボックスが入賞球集合カバーに取り付けられた状態での側断面図である。
【図６】  図２のＶＩ−ＶＩ線における部分断面図である。
【図７】  第２実施例のパチンコ機に使用されるサブ基板ボックスの分解斜視図である。
【図８】  主基板ボックス及びサブ基板ボックスの部分断面図である。
【図９】  第３実施例のパチンコ機に使用される主基板ボックス、その主基板ボックスに隣接配置されるシールド部材およびサブ基板ボックスの部分断面図である。
【符号の説明】
１                      パチンコ機（遊技機）
２３                    主基板ボックス（第１基板ボックス）
２４                    主基板（第１制御基板）
２５ａ，３５，５１      シールド部材（第１ノイズ遮蔽部材、第２ノイズ遮蔽部材）
２５ａ２                側板（接続面）
２８                    音声制御基板（回路基板、第２制御基板）
２８ａ，２８ｂ          コネクタ
２８ｅ，２９ｅ          グランド（第２制御基板のグランド）
２９                    ランプ制御基板（回路基板、第２制御基板）
２９ａ，２９ｂ          コネクタ
３０，４０，５２        サブ基板ボックス（第２基板ボックス）
３１，５３              ボックスベース
３１ａ，３１ｂ          配置板（配置部）
３１ｃ                  連設板（連結部）
３２                    取付具（取付部）
３３，３４              ボックスカバー
３３ａ，３４ａ          天板
３３ｄ，３４ｅ          側壁板（ボックスカバー間における対向する側壁板）
３３ｄ                  傾斜板（コネクタ口へ向けて傾斜される傾斜面）
３３ｆ，３３ｇ          コネクタ口
３４ｂ，３４ｃ          傾斜板（コネクタ口へ向けて傾斜される傾斜面）
３４ｆ，３４ｇ          コネクタ口
３５ｄ，３５ｅ          取付ステー（グランド接点の一部）
３５ｄ１，３５ｅ１      受け板（グランド接点の一部）
３６，４１，５２        接続部材（突出部材、接続手段）
３６ｂ，４１ｂ，５１ａ  当接部（突出部材における接続面との当接部分）
３６ｃ，４１ｃ          突起部（接点部）